(57)【要約】【課題】超電導ケーブルへの熱侵入を抑制するために、真空引きなどの煩雑なメンテナンスを不要にする。【解決手段】一実施形態に係る超電導ケーブルは、外管と、前記外管の内部に設けられる内管と、前記内管の内部に設けられ、フォーマと該フォーマの外周に設けられる超電導材とを含むコア部と、前記外管の外周に設けられる第１断熱層と、を備え、前記内管の内部に冷媒が充填され、前記外管と前記内管との間に形成される空間に液化天然ガスが充填される。【選択図】図１
2019033056.tif 000002
【特許請求の範囲】
【請求項１】
外管と、
前記外管の内部に設けられる内管と、
前記内管の内部に設けられ、フォーマと該フォーマの外周に設けられる超電導材とを含むコア部と、
前記外管の外周に設けられる第１断熱層と、
を備え、
前記内管の内部に冷媒が充填され、前記外管と前記内管との間に形成される空間に液化天然ガスが充填されることを特徴とする超電導ケーブル。
【請求項２】
前記コア部は、前記超電導材の外周に設けられる電気絶縁層を含むことを特徴とする請求項１に記載の超電導ケーブル。
【請求項３】
前記内管の外周に設けられる第２断熱層を備えることを特徴とする請求項１又は２に記載の超電導ケーブル。
【請求項４】
前記内管は１個の内管で構成されると共に、前記外管の内部で前記外管と同心状に配置されることを特徴とする請求項１乃至３の何れか一項に記載の超電導ケーブル。
【請求項５】
前記コア部は、前記超電導材の外周に設けられる電気絶縁層を含み、
前記フォーマの外周に複数の前記超電導材と複数の前記電気絶縁層とが前記フォーマの径方向に沿って交互に設けられることを特徴とする請求項４に記載の超電導ケーブル。
【請求項６】
前記内管の内部に複数のコア部が設けられると共に、
前記複数のコア部は前記内管の軸方向に沿って配置されることを特徴とする請求項４に記載の超電導ケーブル。
【請求項７】
複数の前記内管が前記外管の内部に設けられると共に、前記複数の内管は前記外管の軸方向に沿って配置されることを特徴とする請求項１乃至３の何れか一項に記載の超電導ケーブル。
【請求項８】
前記複数の内管の各々の内部に前記コア部が設けられることを特徴とする請求項７に記載の超電導ケーブル。
【請求項９】
前記冷媒が液体窒素であることを特徴とする請求項１乃至８の何れか一項に記載の超電導ケーブル。
【請求項１０】
請求項１乃至９の何れか一項に記載の超電導ケーブルと、
前記超電導ケーブルの一端側に設けられた液化天然ガス供給源と、
前記液化天然ガス供給源と前記超電導ケーブルの前記外管と前記内管との間に形成される空間との間に設けられる第１配管と、
前記超電導ケーブルの他端側に設けられた需要先と、
前記空間と前記需要先との間に設けられる第２配管と、
を備え、
前記液化天然ガス供給源から液化天然ガスを前記超電導ケーブルを介して前記需要先に輸送するように構成されることを特徴とする液化天然ガス輸送システム。
【発明の詳細な説明】
【技術分野】
【０００１】
本開示は、超電導ケーブル及び液化天然ガス輸送システムに関する。
【背景技術】
【０００２】
極低温で超電導となる超電導線材を導体として用いた超電導ケーブルは、大電流を低損失で送電可能なケーブルとして実用化が進められている。超電導材の超電導性を保つために、超電導材を極低温に保つ必要がある。
特許文献１及び２には、超電導材の周囲に液体窒素などの冷媒を流して超電導材を冷却し、かつ超電導材の周囲に断熱層を充填した真空空間（真空層）を形成することで、外部からの侵入熱を低減するようにした超電導ケーブルが開示されている。
【先行技術文献】
【特許文献】
【０００３】
【特許文献１】特開２００６−０６６３８２号公報
【特許文献２】特開２０１５−１５３５９０号公報
【発明の概要】
【発明が解決しようとする課題】
【０００４】
超電導ケーブルの熱負荷は、超電導材の交流損失と外部からの熱侵入との和となる。交流損失は通電時にのみ発生するが、熱侵入は常に発生しており、真空層の真空度を上げるほど熱侵入を低減できる。予め真空ポンプで超電導ケーブルの真空層を真空引きしておき、超電導ケーブルの設置時には真空ポンプは切り離される。
しかし、超電導ケーブルを長時間使用すると、超電導ケーブルの断熱配管からアウトガスが放出されて真空度は低下してしまう。真空度が低下すると熱侵入量が大きく増加するため、定期的に真空引きするなどの煩雑なメンテナンスが必要となるという問題がある。
【０００５】
一実施形態に係る目的は、上記課題に鑑み、超電導ケーブルへの熱侵入を抑制するために、真空引きなどの煩雑なメンテナンスを不要とすることにある。
【課題を解決するための手段】
【０００６】
（１）一実施形態に係る超電導ケーブルは、
外管と、
前記外管の内部に設けられる内管と、
前記内管の内部に設けられ、フォーマと該フォーマの外周に設けられる超電導材とを含むコア部と、
前記外管の外周に設けられる第１断熱層と、
を備え、
前記内管の内部に冷媒が充填され、前記外管と前記内管との間に形成される空間に液化天然ガスが充填される。
【０００７】
上記（１）の構成によれば、内管の内部に充填された冷媒によってコア部を冷却し、かつ外管と内管との間に形成される空間に極低温の液化天然ガスが充填されることで、コア部への熱侵入量を大幅に低減できる。従って、真空層の形成による断熱構造が不要となり、定期的な真空引きなどのメンテナンスが不要になる。
また、エネルギ源として広く用いられる既存の液化天然ガスを用いるので、天然ガスを冷却するための冷凍機は不要であり、また、外管の外周に設けられる第１断熱層は、液化天然ガスの保冷に用いられる断熱材をそのまま用いればよいため低コスト化できる。
また、熱侵入量を低減することで、低減された熱侵入量に相当する分だけ超電導ケーブルに循環される冷媒を冷却するための冷凍機能力を低減でき、超電導ケーブルに循環する冷媒量も低減できる。
さらに、冷媒循環量を低減できれば、冷媒循環ポンプなどを含む冷却システムを低コスト化できる。
【０００８】
（２）一実施形態では、前記（１）の構成において、
前記コア部は、前記超電導材の外周に設けられる電気絶縁層を含む。
上記（２）の構成によれば、超電導材の外周に電気絶縁層を設けることで、超電導材からの部分放電の発生を抑制でき、これによって、エネルギ消費効率の低下を抑制できる。
【０００９】
（３）一実施形態では、前記（１）又は（２）の構成において、
前記内管の外周に設けられる第２断熱層を備える。
上記（３）の構成によれば、内管の外周に第２断熱層を設けることで、内管内側への熱侵入をさらに抑制できる。
【００１０】
（４）一実施形態では、前記（１）〜（３）の何れかの構成において、
前記内管は１個の内管で構成されると共に、前記内管は前記外管の内部で前記外管と同心状に配置される。
上記（４）の構成によれば、内管を１個とし、かつ内管を外管の内部で外管と同心状に配置することで、内管の構成を簡素化できる。
【００１１】
（５）一実施形態では、前記（４）の構成において、
前記コア部は、前記超電導材の外周に設けられる電気絶縁層を含み、
前記フォーマの外周に複数の前記超電導材と複数の前記電気絶縁層とが前記フォーマの径方向に沿って交互に設けられる。
上記（５）の構成によれば、比較的小容量の直流送電（双極送電）や３相交流送電に適用でき、かつコア部をコンパクト化できる。これによって、超電導ケーブルの直径を縮小できる。
【００１２】
（６）一実施形態では、前記（４）の構成において、
前記内管の内部に複数のコア部が設けられると共に、
前記複数のコア部は前記内管の軸方向に沿って配置される。
上記（６）の構成によれば、１個の内管の中に複数のコア部を設けることで、超電導ケーブルの構成を簡素化しつつ、直流送電（双極送電）や３相交流送電に適用可能な超電導ケーブルとすることができる。
【００１３】
（７）一実施形態では、前記（１）〜（３）の何れかの構成において、
複数の前記内管が前記外管の内部に設けられると共に、前記複数の内管は前記外管の軸方向に沿って配置される。
上記（７）の構成によれば、外管の内部に複数の内管を備えることで、大容量の直流送電（双極送電）や３相交流送電に適用可能な超電導ケーブルとすることができる。
【００１４】
（８）一実施形態では、前記（７）の構成において、
前記複数の内管の各々の内部に前記コア部が設けられる。
上記（８）の構成によれば、複数の内管の内部に夫々コア部を設けることで、大容量の直流送電（双極送電）や３相交流送電可能な超電導ケーブルとすることができる。
【００１５】
（９）一実施形態では、前記（１）〜（８）の何れかの構成において、
前記冷媒が液体窒素である。
液化天然ガスの温度は常圧下で−１６０℃程度であり、液体窒素の温度は常圧下で−１９６℃である。従って、液体窒素の外側に液化天然ガスを充填することで、液体窒素より外気との温度差を縮めることができ、これによって、外部からの侵入熱を低減できる。さらに、液化天然ガスが気化することで、液体窒素が超電導材から受ける熱を液化天然ガスが吸収でき、これによって、液体窒素の温度上昇を抑制できる。
【００１６】
（１０）一実施形態に係る液化天然ガス輸送システムは、
前記（１）〜（９）の何れかの構成を有する超電導ケーブルと、
前記超電導ケーブルの一端側に設けられた液化天然ガス供給源と、
前記液化天然ガス供給源と前記超電導ケーブルの前記外管と前記内管との間に形成される空間との間に設けられる第１配管と、
前記超電導ケーブルの他端側に設けられた需要先と、
前記空間と前記需要先との間に設けられる第２配管と、
を備え、
前記液化天然ガス供給源から液化天然ガスを前記超電導ケーブルを介して前記需要先に輸送するように構成される。
【００１７】
上記（１０）の構成によれば、コア部を冷却する冷媒の外側に極低温の液化天然ガスが充填されることで、コア部への熱侵入量を大幅に低減できる。従って、真空層による断熱構造が不要となり、定期的な真空引きなどのメンテナンスが不要になる。
また、外部の侵入熱を吸収して気化した液化天然ガスは、輸送終端側の需要先に送り、需要先でそのままエネルギ源として利用できるので、エネルギ消費効率を向上できる。
【発明の効果】
【００１８】
一実施形態によれば、超電導ケーブルへの熱侵入を抑制するために、真空引きなどの煩雑なメンテナンスが不要になる。また、既存の冷熱源である液化天然ガスを利用することで、エネルギ消費効率を向上できると共に、液化天然ガスの輸送も同時に行うことができる。
【図面の簡単な説明】
【００１９】
【図１】一実施形態に係る超電導ケーブルを含む液化天然ガス輸送システムを示す一部断面を含む系統図である。
【図２】一実施形態に係る超電導ケーブルの横断面図である。
【図３】一実施形態に係る超電導ケーブルの横断面図である。
【図４】一実施形態に係る超電導ケーブルの横断面図である。
【発明を実施するための形態】
【００２０】
以下、添付図面を参照して本発明の幾つかの実施形態について説明する。ただし、実施形態として記載され又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一つの構成要素を「備える」、「具える」、「具備する」、「含む」、又は「有する」という表現は、他の構成要素の存在を除外する排他的な表現ではない。
【００２１】
図１〜図４は、幾つかの実施形態に係る超電導ケーブル１０（１０Ａ、１０Ｂ、１０Ｃ、１０Ｄ）を示す。
図１〜図４において、超電導ケーブル１０は外管１２と外管１２の内部に設けられる内管１４と、を備える２重管構造を有する。内管１４の内部には、フォーマ（巻芯）１６とフォーマ１６の外周に設けられる超電導材１８とを含むコア部２０（２０ａ、２０ｂ、２０ｃ）が設けられる。外管１２の外周に断熱層２２（第１断熱層）が設けられ、内管１４の内部に冷媒ｒが充填され、外管１２と内管１４との間に形成される空間に液化天然ガスＬＮＧが充填される。
【００２２】
上記構成によれば、内管１４の内部に冷媒ｒが充填され、外管１２と内管１４との間に形成される空間に極低温の液化天然ガスＬＮＧが充填されることで、コア部２０への熱侵入量を大幅に低減できる。従って、真空層の形成による断熱構造が不要となり、定期的な真空引きなどのメンテナンスが不要になる。
また、エネルギ源として広く用いられる既存の液化天然ガスを用いるので、天然ガスを冷却するための冷凍機は不要であり、また、外管１２の外周に設けられる断熱層２２は、液化天然ガスの保冷に用いられる断熱材（例えば、発泡硬質ウレタンフォーム、グラスウール等）をそのまま用いればよいため低コスト化できる。
【００２３】
また、熱侵入量を低減することで、低減された熱侵入量に相当する分だけ超電導ケーブル１０に循環される冷媒ｒを冷却するための冷凍機能力を低減でき、超電導ケーブル１０に循環する冷媒量も低減できる。
さらに、冷媒循環量を低減できれば、冷媒循環ポンプなどを含む冷媒ｒの冷却システムを低コスト化できる。
【００２４】
一実施形態では、図１〜図４に示すように、コア部２０は超電導材１８の外周に設けられる電気絶縁層２４を含む。
この実施形態によれば、超電導材１８の外周に電気絶縁層２４を設けることで、超電導材１８からの部分放電の発生を抑制でき、これによって、超電導ケーブル１０のエネルギ消費効率の低下を抑制できる。
なお、通常、フォーマ１６と超電導材１８との間にも電気絶縁層が設けられる。この電気絶縁層は、図１〜図４において、その図示は省略されている。
【００２５】
一実施形態では、図１〜図４に示すように、内管１４（１４ａ、１４ｂ、１４ｃ）の外周に断熱層２６（２６ａ、２６ｂ、２６ｃ）（第２断熱層）を備える。断熱層２６として、例えばポリエチレンフィルムの積層体などを用いることができる。
この実施形態によれば、内管１４（１４ａ〜１４ｃ）の外周に断熱層２６（２６ａ〜２６ｃ）を設けることで、内管内側への熱侵入をさらに抑制できる。
【００２６】
一実施形態では、図１に示すように、フォーマ１６は中実体を用いることができる。あるいは、２点鎖線で示すように内部に中空部２８を形成したパイプ状のフォーマとしてもよい。パイプ状のフォーマは中空部２８を冷媒の流路としても利用できる。
一実施形態では、フォーマ１６を単に超電導材１８の支持体として用いるのであれば、樹脂などの非導電性材料で構成してもよいし、フォーマ１６に異常時の電流の分流路としての機能も持たせるのであれば、銅やアルミニウムなどの常電導性の金属材料で構成してもよい。
また、中実体のフォーマ１６として、エナメルなどの絶縁被膜を備える複数の金属線を撚り合わせたものも用いることができる。
【００２７】
一実施形態では、図１及び図２に示す超電導ケーブル１０（１０Ａ、１０Ｂ）のように、内管１４は１個の内管で構成されると共に、１個の内管１４は外管１２の内部で外管１２と同心状に配置される。
図１に示す超電導ケーブル１０（１０Ａ）は、１個の内管１４の内部に１個のフォーマ１６と１個の超電導材１８とを有する１個のコア部２０を備える。
図２に示す超電導ケーブル１０（１０Ｂ）は、１個の内管１４の内部に１個のフォーマ１６と複数の超電導材１８とを有する１個のコア部２０を備える。
【００２８】
これらの実施形態によれば、内管１４を１個とし、かつ内管１４を外管１２の内部で外管１２と同心状に配置することで、内管１４の構成を簡素化できる。この実施形態では、図１に示す超電導ケーブル１０（１０Ａ）は、コア部２０が１層の超電導材１８を有し、直流送電（単極送電）に用いることができる。
図２に示す超電導ケーブル１０（１０Ｂ）は、コア部２０が３層の超電導材１８（１８ａ、１８ｂ、１８ｃ）を有し、３相交流送電に用いることができる。
また、コア部２０が２層の超電導材１８を有するときは、直流送電（双極送電）に用いることができる。
【００２９】
一実施形態では、図２に示す超電導ケーブル１０（１０Ｂ）のように、コア部２０は、フォーマ１６の外周に複数の超電導材１８（１８ａ、１８ｂ、１８ｃ）と複数の電気絶縁層２４とがフォーマ１６の径方向に沿って交互に設けられる。
この実施形態によれば、比較的小容量の直流送電（双極送電）や３相交流送電に適用でき、かつコア部２０をコンパクト化できる。これによって、超電導ケーブル１０の直径を縮小できる。
図２に示す超電導ケーブル１０（１０Ｂ）は、コア部２０が３層の超電導材１８（１８ａ、１８ｂ、１８ｃ）を有するため、３相交流送電に用いることができる。
【００３０】
一実施形態では、図３及び図４に示す超電導ケーブル１０（１０Ｃ、１０Ｄ）のように、内管１４の内部に複数のコア部２０（２０ａ、２０ｂ、２０ｃ）が設けられると共に、複数のコア部２０（２０ａ〜２０ｃ）は内管１４の軸方向に沿って配置される。これらの実施形態では、フォーマ１６と超電導材１８とを含む複数のコア部２０（２０ａ〜２０ｃ）が互いに独立して設けられる。
図３に示す超電導ケーブル１０（１０Ｃ）は、１個の内管１４の内部に、夫々フォーマ１６と超電導材１８とを有する３個の独立したコア部２０（２０ａ〜２０ｃ）が設けられる。
【００３１】
この実施形態によれば、１個の内管１４の中に複数のコア部２０（２０ａ〜２０ｃ）を設けることで、超電導ケーブル１０の構成を簡素化しつつ、直流送電（双極送電）や３相交流送電に適用可能な超電導ケーブルとすることができる。
【００３２】
一実施形態では、図４に示す超電導ケーブル１０（１０Ｄ）のように、複数の内管１４（１４ａ〜１４ｃ）が外管１２の内部に設けられると共に、複数の内管１４は外管１２の軸方向に沿って配置される。
この実施形態によれば、外管１２の内部に複数の内管１４（１４ａ〜１４ｃ）を備えることで、大容量の直流送電（双極送電）や３相交流送電に適用可能な超電導ケーブルとすることができる。
【００３３】
一実施形態では、図４に示す超電導ケーブル１０（１０Ｄ）のように、複数の内管１４（１４ａ〜１４ｃ）の内部に夫々独立したコア部２０（２０ａ〜２０ｃ）が設けられる。
図４に示す超電導ケーブル１０（１０Ｄ）は、３個の内管１４（１４ａ〜１４ｃ）の内部に、夫々フォーマ１６と超電導材１８とを有する独立したコア部２０が夫々１個ずつ設けられる。
この実施形態によれば、複数の内管１４の内部に夫々独立した１個のコア部２０（２０ａ〜２０ｃ）を設けることで、大容量の直流送電（双極送電）や３相交流送電に適用可能な超電導ケーブルとすることができる。
【００３４】
一実施形態では、図４に示す超電導ケーブル１０（１０Ｄ）のように、複数の内管１４（１４ａ〜１４ｃ）の外周に夫々断熱層２６（２６ａ〜２６ｃ）が設けられる。これによって、各内管の内側への熱侵入をさらに抑制できる。
【００３５】
一実施形態では、図１〜図４に示す超電導ケーブル１０（１０Ａ〜１０Ｄ）のように、冷媒ｒとして液体窒素を内管１４の内部に充填する。
液化天然ガスＬＮＧの温度は常圧下で−１６０℃程度であり、液体窒素の温度は常圧下で−１９６℃である。従って、液体窒素の外側に液化天然ガスＬＮＧを充填することで、液体窒素より外気との温度差を縮めることができ、これによって、外部からの侵入熱を低減できる。さらに、液化天然ガスが気化することで、液体窒素が超電導材１８から受ける熱を液化天然ガスが吸収でき、これによって、液体窒素の温度上昇を抑制できる。
【００３６】
一実施形態に係る液化天然ガス輸送システム３０は、図１に示すように、超電導ケーブル１０（１０Ａ〜１０Ｄ）を利用して液化天然ガスを輸送する輸送システムである。
図１において、超電導ケーブル１０の一端側に液化天然ガス供給源３２を備え、液化天然ガス供給源３２と超電導ケーブル１０の外管１２と内管１４との間に形成される空間とに接続する配管３４（第１配管）が設けられる。
また、超電導ケーブル１０の他端側に需要先３６を備え、超電導ケーブル１０の外管１２と内管１４との間に形成される空間と接続する需要先３６の配管３８（第２配管）が設けられる。
【００３７】
上記構成において、液化天然ガス供給源３２から液化天然ガスＬＮＧを超電導ケーブル１０を介して需要先３６に輸送するように構成される。
液化天然ガスＬＮＧが超電導ケーブル１０の内部を輸送される間、内部からの侵入熱を吸収するため、内管１４の内側を極低温に保持できる。
【００３８】
上記構成によれば、コア部２０を冷却する冷媒ｒの外側に極低温の液化天然ガスＬＮＧが充填されることで、コア部２０への熱侵入量を大幅に低減できる。従って、真空層の形成による断熱が不要となり、定期的な真空引きなどのメンテナンスが不要になる。
冷熱源として既存の液化天然ガスを用いるので、天然ガスを冷却する冷凍機は不要であり、また、外管１２の外周に設けられる断熱層２２は、液化天然ガスの保冷に用いられる既存の断熱材を用いればよく低コスト化できる。
また、外部の侵入熱を吸収して気化した液化天然ガスは、輸送終端側の需要先に送り、需要先でそのままエネルギ源として利用できるので、エネルギ消費効率を向上できる。
【００３９】
一実施形態では、液化天然ガス供給源３２及び需要先３６は液化天然ガスの貯留タンクを含む。
一実施形態では、図１に示すように、配管３４にポンプ４０が設けられ、液化天然ガス供給源３２の貯留タンクに貯留された液化天然ガスＬＮＧは、ポンプ４０によって超電導ケーブル１０を介して需要先３６貯留タンクに輸送される。外部からの侵入熱又は冷媒ｒから受け取った熱で気化した天然ガスは需要先３６で上記貯留タンクに放出され、そのままエネルギ源として利用できる。
【００４０】
一実施形態では、冷媒ｒとして液体窒素以外に、液体ヘリウム、液体水素、液体酸素等の極低温冷媒を使用できる。
【産業上の利用可能性】
【００４１】
一実施形態によれば、液化天然ガスによって超電導ケーブルへの熱侵入を抑制でき、真空引きなどの煩雑なメンテナンスを不要にできる。また、既存の冷熱源である液化天然ガスを利用することで、エネルギ消費効率を向上できると共に、液化天然ガスの輸送も同時に行うことができる。
【符号の説明】
【００４２】
１０（１０Ａ、１０Ｂ、１０Ｃ、１０Ｄ）    超電導ケーブル
１２    外管
１４（１４ａ、１４ｂ、１４ｃ）    内管
１６    フォーマ
１８（１８ａ、１８ｂ、１８ｃ）    超電導材
２０（２０ａ、２０ｂ、２０ｃ）    コア部
２２    断熱層（第１断熱層）
２４    電気絶縁層
２６（２６ａ、２６ｂ、２６ｃ）    断熱層（第２断熱層）
２８    中空部
３０    液化天然ガス輸送システム
３２    液化天然ガス供給源
３４    配管（第１配管）
３６    需要先
３８    配管（第２配管）
４０    ポンプ
ＬＮＧ    液化天然ガス
ｒ      冷媒
【図１】
2019033056.tif 000003
【図２】
2019033056.tif 000004
【図３】
2019033056.tif 000005
【図４】
2019033056.tif 000006